(57)【要約】      （修正有）【課題】戸建住宅などの断熱床構造に関し、構造が簡単でありかつ施工が容易で経済性にも優れた断熱床構造を提供する。【解決手段】床スラブ上に設置され、柱脚部１８と天板２０とからなるレベル調整機能付きの複数の支持脚４と、この支持脚４の上部に配置され、一側面に実部１４が、これと反対側の側面に、隣接する他の床パネルの実部１４と嵌合する溝部１５がそれぞれ設けられた床パネル１２、及びこの床パネル１２の下面部に固定され、上記支持脚４の天板２０が嵌入される切欠部が隅部に設けられた断熱材１０からなる床下地材６と、上記床下地材６の上部に敷設される床仕上材８と、を有する構成である。【選択図】図１
2008231741.tif 000002
【特許請求の範囲】
【請求項１】
床スラブ上に設置され、柱脚部と天板とからなるレベル調整機能付きの複数の支持脚と、
この支持脚の上部に配置され、一側面に実部が、これと反対側の側面に、隣接する他の床パネルの実部と嵌合する溝部がそれぞれ設けられた床パネル、及びこの床パネルの下面部に固定され、上記支持脚の天板が嵌入される切欠部が隅部に設けられた断熱材からなる床下地材と、
上記床下地材の上部に敷設される床仕上材と、を有することを特徴とする断熱床構造。
【請求項２】
上記支持脚の天板を長尺状に形成し、この支持脚に載置される上記床下地材の床パネルは、その実部と溝部とが上記天板の長尺方向と直交するように上記床下地材を配置したことを特徴とする請求項１記載の断熱床構造。
【請求項３】
上記床下地材の上記断熱材を、上記床パネルの裏面部の一つの側面、又は二つの側面の端部から少し突出させて取り付け、この床パネルと隣接する他の床パネルの断熱材をこの床パネルの裏面部の端部から少し内部寄りに位置するように取り付けたことを特徴とする請求項１又は請求項２記載の断熱床構造。
【発明の詳細な説明】
【技術分野】
【０００１】
本発明は、戸建住宅などの断熱床構造に関する。
【背景技術】
【０００２】
従来、特許文献１に断熱床構造の開示があり、これは図９に示すように、床基盤上に縦列に支持脚３１を立設し、ついでこの支持脚３１列に目地部架設材３２を順次装着した後、断熱パネル３３を順次取り付け、これと相前後してベースパネル３４を順次敷設し、然るのち嵌め込み用目地棒３５の装着を行う施工手順の採用により、現場で簡単に、しかも格別の熟練を要することなく高能率に施工することが可能であるというものである。
【０００３】
また、特許文献２に示す床構造ように、床下地板材を支持する鋼製大引と、これらを断熱する断熱部材を備え、床鳴りを防止するために鋼製大引を用いたものがある。特許文献３には、断熱二重床構造の施工性を高める施工方法が開示されている。
【０００４】
【特許文献１】特許３８３４１６１号公報
【特許文献２】特開２００５−３６４３７公報
【特許文献３】特開２００５−２００９４５公報
【発明の開示】
【発明が解決しようとする課題】
【０００５】
しかしながら、上記特許文献１の断熱床構造は、断熱パネル３３とベースパネル３４は別々に敷設する必要があり、また支持脚３１の高さ調整をするために、貫通した調節孔３６をあけておくための目地幅が必要で、このため目地用断熱材３７や目地棒３５が必要であるため、形状が複雑となり施工性が劣るという問題がある。
【０００６】
また、上記特許文献２の床構造は、大引材が熱伝導性が良い鋼製であるため、熱橋（他より温度が高い部分）が生じ、このため鋼製大引材の下部に大引断熱材を取り付け、またこの大引断熱材には鋼製束の取付位置に対応させて切欠窓を設けておかなければならないという問題がある。
【０００７】
本発明は上記問題点を解決するためになされたものであり、構造が簡単でありかつ施工が容易で経済性にも優れた断熱床構造を提供することを目的とする。
【課題を解決するための手段】
【０００８】
以上の技術的課題を解決するため、本発明に係る断熱床構造は、図１に示すように、床スラブ上に設置され、柱脚部１８と天板２０とからなるレベル調整機能付きの複数の支持脚４と、この支持脚４の上部に配置され、一側面に実部１４が、これと反対側の側面に、隣接する他の床パネルの実部１４と嵌合する溝部１５がそれぞれ設けられた床パネル１２、及びこの床パネル１２の下面部に固定され、上記支持脚４の天板２０が嵌入される切欠部１１が隅部に設けられた断熱材１０からなる床下地材６と、上記床下地材６の上部に敷設される床仕上材８と、を有する構成である。
【０００９】
本発明に係る断熱床構造は、上記支持脚４の天板２０を長尺状に形成し、この支持脚４に載置される上記床下地材６の床パネル１２は、その実部１４と溝部１５とが上記天板２０の長尺方向と直交するように上記床下地材６を配置した構成である。
【００１０】
本発明に係る断熱床構造は、上記床下地材６の上記断熱材１０を、上記床パネル１２の裏面部の一つの側面、又は二つの側面の端部から少し突出させて取り付け、この床パネル１２と隣接する他の床パネル１２の断熱材１０をこの床パネルの裏面部の端部から少し内部寄りに位置するように取り付けた構成である。
【発明の効果】
【００１１】
本発明に係る断熱床構造によれば、柱脚部と天板とからなる支持脚、この支持脚の上部に配置された床パネル及びこの床パネルの下面部に固定され支持脚の天板が嵌入される切欠部が設けられた断熱材からなる床下地材、及び床仕上材とを有する構成を採用したから、部品点数が少なく構造が簡単で施工性に優れ、断熱効果に加えて施工後の床鳴り軋み音が防止され、また断熱材と床パネルを一体化した床下地材を用いたため輸送等のコストが削減され、かつ敷設作業も容易で作業の短縮化が図れるという効果がある。
【００１２】
また、本発明に係る断熱床構造によれば、天板を長尺状に形成し、床パネルの実部と溝部とが天板の長尺方向と直交するように床下地材を配置した構成としたから、床パネルの強度が確保されて床下地材の撓みが防止されるとともに、施工後の荷重による床鳴り、軋み音が防止されるという効果がある。
【００１３】
また、本発明に係る断熱床構造によれば、断熱材を床パネルの裏面部の端部から少し突出させて取り付けた構成としたから、床下地材の床パネルの目地部と断熱材の目地部とが連通しないため、目地による隙間が封じられて断熱性能が良好に維持できるという効果がある。
【発明を実施するための最良の形態】
【００１４】
以下、本発明に係る断熱床構造の実施の形態を、図面を用いて詳細に説明する。この実施の形態に係る床は、戸建住宅、集合住宅、公共施設などの建物の二重床等の床に適用可能である。
【００１５】
上記断熱床構造は、図１，２に示すように、床スラブ２に設置した支持脚４の上部に床下地材６を配置し、この床下地材６の上部にフローリング材などの床仕上材８を敷設した構造である。
【００１６】
上記床下地材６は、断熱材１０と床パネル１２からなり、この床パネル１２の下部に断熱材１０が配置された形態である。この断熱材１０は図３に示すように、断熱物質を所定の板厚（ここでは２５ｍｍ）に成形した略矩形の板状材である。上記断熱材１０は、四隅部にそれぞれ天板２０のコーナー部が嵌入できるように切り欠いた切欠部１１が形成されている。また、この断熱材１０の切欠部１１により、床パネル１２の裏面の四隅には凹部１６が形成されている。
【００１７】
上記板状の断熱材１０は、断熱性、耐久性に優れ、簡単に切断加工できるものが好ましい。例えば、ポリスチレン発泡体、ポリエチレン発泡体、ポリウレタン発泡体等の独立気泡を有する合成樹脂発泡体が好適である。特に、押出発泡ポリスチレン（商品名「スタイロフォーム」（登録商標）：ダウ化工（株）製）は、その高い断熱性及び低い吸水性のため特に好適である。
【００１８】
上記床パネル１２は針葉樹合板からなる矩形状の板材である。この床パネル１２は、四側面の内の一側面には実部１４が形成され、この側面と反対側に設けられる平行な側面には溝部１５が形成されている。また床パネル１２は、残り二つの側面にはフラットな平坦面部１３が形成された形状である。この床パネル１２は、所定の板厚（ここでは２４ｍｍ又は２８ｍｍ）の針葉樹合板からなる。この針葉樹合板は、低コストに加えて、寸法安定性、曲げ及び引っ張り強さにも優れ、軽量であるという優れた特性を有している。
【００１９】
上記床下地材６は、図４に示すように、上記床パネル１２の裏面部に断熱材１０を固定してなるものである。この固定に際しては、接着剤を散点的に塗布する方法でもよいが、スティプルピン等による散点的なピン止めによる方法が好適である。
【００２０】
このとき、床下地材６の断熱材１０を、床パネル１２の裏面部の一つの側面又は二つの側面の端部から少し突出させて取り付け、この床パネル１２と隣接する他の床パネル１２の断熱材１０をパネルの裏面部の端部から少し内部寄り（Ｗ）に収納させて取り付ける。このように、床下地材の床パネル同士の目地部（隙間）と断熱材同士の目地部（隙間）とが連通しないため、目地による隙間が封じられて密閉性がよくなり十分な断熱性能を維持することができる。上記二つの側面を突出させる形態では、直交する二つの側面をそれぞれ突出させ、残りの二つの側面をそれぞれ内部寄りに収納させる形態が好ましい。この場合、床下地材６の全ての側面の目地が封じられ、また断熱材１０の形態が一種類で済むので合理的である。
【００２１】
上記支持脚４は図５に示すように、高さ調整が可能なレベル調整機能付き（ターンバックル形態）の柱脚部１８と天板２０とを有する。この柱脚部１８は、鋼材からなり、支持ボルトの上部に矩形状の受け板が固定された受け部２２、支持ボルトの下部に座板が固定された台座部２４、及び中空胴状のバックル部２６からなる。
【００２２】
このバックル部２６の上部及び下部にはそれぞれ一方が右螺子、他方が左螺子の螺孔が形成されている。そして、支持脚４は、上記バックル部２６の一方側の螺孔に上記受け部２２の支持ボルトが螺着されナット２７で締結され、他方側の螺孔には上記台座部２４の支持ボルトが螺着されナット２７で締結されている。
【００２３】
上記天板２０は、長尺長方形状（ここでは１００ｍｍ×６００ｍｍ）の合板からなり、所定の板厚（ここでは２４ｍｍ）の板材である。この天板２０は、柱脚部１８の上部に設けられる受け部２２の受け板に固定される。このとき、受け板からビス（例えばコーススレッド）等を介在して固定する。
【００２４】
上記断熱床構造の床の施工に際しては、先ず、床スラブ２に所定間隔をおいて上記支持脚４を配置する。これら支持脚４は、床下地材６の床パネル１２の四隅をそれぞれ支持脚４で支持できる形態に配置する。各支持脚４は、台座部２４の裏面部を接着剤で床スラブ２に固着し、併せてコンクリートビス等の止着具を用いて固定する。
【００２５】
そして、各支持脚４の高さレベルの調整を行う。このとき、柱脚部１８のバックル部２６に工具を介在させてこのバックル部２６を回して支持脚４を伸縮し、所定の高さレベルに調整する。各支持脚４の長尺状の天板２０は、その長尺方向を全て同じ向に向けて、互いに平行に配置する。
【００２６】
次に、図６に示すように、上記各支持脚４の天板２０に上記床下地材６を載置する。この床下地材６は、床パネル１２の裏面の隅に設けられた上記切欠部１１による上記凹部１６の部位に、支持脚４の天板２０を嵌入して載置される。このとき図１，７，８に示すように、床下地材６の床パネル１２の上記実部１４及び溝部１５が形成された側面部は、支持脚４の天板２０の長尺方向と直交する向きに載置され、上記平坦面部１３が形成された側面部は天板２０の長尺方向の向きに載置される。またこの床下地材６は、断熱材１０の直交する二つの側面をそれぞれ床パネル１２から突出させ、残りの二つの側面をそれぞれ内部寄りに収納させる形態としている。
【００２７】
そして、この床下地材６の周辺に順に他の床下地材６を並設し、床下地材６の床パネル１２の実部１４を設けた側面部に隣接する他の床パネル１２は、その溝部１５を上記実部１４と嵌合させて配置し、また溝部１５を設けた側面部に隣接する他の床パネル１２は、その実部１４を上記溝部１５と嵌合させて配置する。また、床下地材６の床パネル１２の平坦面部１３が形成された側面部に隣接する他の床下地材６は、その床パネル１２の平坦面部１３を上記平坦面部１３に当接させた状態で配置する。
【００２８】
上記各床下地材６の配置により、床下地材６の床パネル１２は、平坦面部１３が形成された部位は、支持脚４の天板２０に沿う状態で載置されることから床パネル１２の多くの部分が支持されることになり、一方床パネル１２の実部１４と溝部１５が嵌合した部位は、支持脚４の天板２０に僅かな部位が載置支持される形態となる。
【００２９】
上記形態により、床下地材６の床パネル１２の実部１４と溝部１５が嵌合した部位は、この嵌合により床パネル１２の側面部が補強し合う構造となるため床パネル１２の強度が確保され、このため支持脚４の天板２０での支持は僅かな部分でも足りることになる。一方、床下地材６の床パネル１２の平坦面部１３が形成された側面部は、上記補強し合う構造でないため、上記支持脚４の天板２０で多くの部分を支持する形態を採用することで平坦面部１３が形成された側面部の強度を確保している。
【００３０】
また、床下地材６の床パネル１２に上記一対の平坦面部１３を形成したのは、四つの側面全てを実部と溝部で嵌合させてしまうと、四側面の強度は補強されるものの、施工に際して制約が多くなって工事が困難となり、また改修の際、特に部分改修の際には床下地材６の脱着が困難となり工事に手間がかかるためである。
【００３１】
上記各支持脚４の上部に配置し載置した床下地材６は、その床パネル１２をコーススレッド等のビスを用いて支持脚４の天板２０に固定する。そして、並設した床下地材６の上部に床仕上材８を接着により敷設して床を仕上げる。なお、図７，８に示す断熱床構造は、断熱材１０の二つの隅部に、それぞれ床支持脚４の天板２０の片側部分が嵌入できるように切り欠いた切欠部１１を設け、他の二つの隅部には切欠部を設けない形態を示したものである。
【００３２】
従って、上記実施の形態によれば、部品点数が少なく構造が簡単で施工性に優れ、断熱効果に加えて床鳴り軋み音が防止され、また断熱材と床パネルを一体化した床下地材を用いたため、断熱材と床パネルを別々に輸送するよりコストが削減され、かつ敷設作業も容易であり作業の短縮化が図れるという効果がある。また、上記支持脚の天板を長尺状に形成し、この支持脚に載置される上記床下地材の床パネルの実部と溝部とは天板の長尺方向と直交するように床下地材を配置したから、床下地材の撓みが防止され、施工後の荷重による床鳴り、軋み音が防止されるという効果がある。
【図面の簡単な説明】
【００３３】
【図１】本発明の実施の形態に係る断熱床構造の分解斜視図である。
【図２】実施の形態に係る断熱床構造の側面図（ａ）（ｂ）である。
【図３】実施の形態に係る断熱床構造の（ａ）は平面図、（ｂ）は側面図である。
【図４】実施の形態に係る床下地材同士を連結した状態を示す図である。
【図５】実施の形態に係る支持脚を示す図である。
【図６】実施の形態に係り支持脚に床下地材を載置する状態を示す図である。
【図７】実施の形態に係る断熱床構造の斜視図である。
【図８】実施の形態に係る断熱床構造の他の斜視図である。
【図９】従来例に係る断熱床構造の分解斜視図である。
【符号の説明】
【００３４】
４  支持脚
６  床下地材
８  床仕上材
１０  断熱材
１１  切欠部
１２  床パネル
１４  実部
１５  溝部
１８  柱脚部
２０  天板
【図１】
2008231741.tif 000003
【図２】
2008231741.tif 000004
【図３】
2008231741.tif 000005
【図４】
2008231741.tif 000006
【図５】
2008231741.tif 000007
【図６】
2008231741.tif 000008
【図７】
2008231741.tif 000009
【図８】
2008231741.tif 000010
【図９】
2008231741.tif 000011